(57)【要約】【課題】導光板の乗り上げを防止することができる反射シートを提供する。【解決手段】導光板４３の非入射側面４３ｂ〜４３ｄと裏面４３ｆとを覆う矩形状の反射シート１０であって、導光板４３に裏面４３ｆに当接する底面部１１と、底面部１１における光源４２と対向しない複数の辺にそれぞれ繋がり、底面部１１に対して折り曲げられたときに、導光板４３の非入射側面４３ｂ〜４３ｄと対向する複数の側面部１２〜１４と、互いに隣り合う側面部１２，１３間及び側面部１３，１４間を繋ぎ、側面部１２〜１４が底面部１１に対して折り曲げられるのに伴って、当該側面部１２〜１４の外側に向けて折り曲げられるコーナー部１５，１６と、底面部１１と側面部１２〜１４との間の境界線上に施されたミシン目１０ａ〜１０ｃとを備える。【選択図】図３
2020202057.tif 000002
【特許請求の範囲】
【請求項１】
光源から発せられた光が入射する入射側面と当該入射側面以外の非入射側面と裏面とを有する導光板の前記非入射側面と前記裏面とを覆う矩形状の反射シートであって、
前記導光板の前記裏面に当接する底面部と、
前記底面部における前記光源と対向しない複数の辺にそれぞれ繋がり、前記底面部に対して折り曲げられたときに、前記導光板の前記非入射側面と対向する複数の側面部と、
互いに隣り合う前記側面部間を繋ぎ、前記側面部が前記底面部に対して折り曲げられるのに伴って、当該側面部の外側に向けて折り曲げられるコーナー部と、
前記底面部と前記側面部との間の境界線上に施された第１ミシン目とを備える
ことを特徴とする反射シート。
【請求項２】
前記コーナー部は、面取り形状を有している
ことを特徴とする請求項１記載の反射シート。
【請求項３】
前記コーナー部の中心線上に施された第２ミシン目を備える
ことを特徴とする請求項１または請求項２記載の反射シート。
【請求項４】
光源から発せられた光が入射する入射側面と当該入射側面以外の非入射側面と裏面とを有する導光板の前記非入射側面と前記裏面とを覆う矩形状の反射シートであって、
前記導光板の前記裏面に当接する底面部と、
前記底面部における前記光源と対向しない複数の辺にそれぞれ繋がり、前記底面部に対して折り曲げられたときに、前記導光板の前記非入射側面と対向する複数の側面部と、
前記底面部と複数の前記側面部のうち一部の前記側面部との間の境界線上に施された第３ミシン目と、
前記底面部と複数の前記側面部のうちの前記一部の前記側面部以外の少なくとも１つの前記側面部との間の境界線と平行で、且つ、前記境界線よりも前記底面部側に施された第４ミシン目とを備える
ことを特徴とする反射シート。
【請求項５】
請求項１から請求項４のうちのいずれか１項記載の反射シートを、前記底面部と全ての前記側面部との間の境界線で折り曲げて形成した反射シート体。
【請求項６】
請求項５記載の反射シート体と、
前記反射シート体を保持する筐体と、
前記反射シート体内に収容される前記導光板の照射面と対向し、前記照射面から照射された光が通過するプリズムシートとを備える
ことを特徴とするバックライト装置。
【請求項７】
請求項６記載のバックライト装置と、液晶パネルとを備え、
前記液晶パネルの裏面が前記照射面と対向し、前記プリズムシートを通過した光が前記液晶パネルの前記裏面に照射される
ことを特徴とする液晶表示装置。
【発明の詳細な説明】
【技術分野】
【０００１】
この発明は、反射シート、反射シート体、バックライト装置、及び、液晶表示装置に関するものである。
【背景技術】
【０００２】
液晶表示装置のバックライト構造の中には、導光板を液晶パネルの裏面側に設け、光源をその導光板の側面に対向させて配置したものがある。このようなバックライト構造では、導光板の裏面及び周囲を囲う反射シートが設けられている。例えば、特許文献１には、反射シートを備える液晶表示装置が開示されている。
【先行技術文献】
【特許文献】
【０００３】
【特許文献１】特開２００１−２１６８２７号公報
【発明の概要】
【発明が解決しようとする課題】
【０００４】
特許文献１に開示されたような従来の液晶表示装置では、反射シートの折り曲げ部分が、導光板の周囲に配置される。この反射シートの折り曲げ工程は、例えば、作業者の手作業によって行われるため、その折り曲げ角度には、ばらつきが生じる。このため、折り曲げ部分を過度に折り曲げた場合には、導光板の組み付けの際、導光板が、反射シートの折り曲げ部分に乗り上がってしまうとの問題がある。導光板が反射シートの折り曲げ部分に乗り上がってしまった場合、導光板の組み付け作業をやり直すことになり、作業効率が低下する。
【０００５】
この発明は、上記のような課題を解決するためになされたもので、導光板の乗り上げを防止することができる反射シートを提供することを目的とする。
【課題を解決するための手段】
【０００６】
この発明に係る反射シートは、光源から発せられた光が入射する入射側面と当該入射側面以外の非入射側面と裏面とを有する導光板の非入射側面と裏面とを覆う矩形状の反射シートであって、導光板の裏面に当接する底面部と、底面部における光源と対向しない複数の辺にそれぞれ繋がり、底面部に対して折り曲げられたときに、導光板の非入射側面と対向する複数の側面部と、互いに隣り合う側面部間を繋ぎ、側面部が底面部に対して折り曲げられるのに伴って、当該側面部の外側に向けて折り曲げられるコーナー部と、底面部と側面部との間の境界線上に施された第１ミシン目とを備えるものである。
【０００７】
この発明に係る反射シートは、光源から発せられた光が入射する入射側面と当該入射側面以外の非入射側面と裏面とを有する導光板の非入射側面と裏面とを覆う矩形状の反射シートであって、導光板の裏面に当接する底面部と、底面部における光源と対向しない複数の辺にそれぞれ繋がり、底面部に対して折り曲げられたときに、導光板の非入射側面と対向する複数の側面部と、底面部と複数の側面部のうち一部の側面部との間の境界線上に施された第３ミシン目と、底面部と複数の側面部のうちの一部の側面部以外の少なくとも１つの側面部との間の境界線と平行で、且つ、境界線よりも底面部側に施された第４ミシン目とを備えるものである。
【発明の効果】
【０００８】
この発明によれば、導光板の乗り上げを防止することができる。
【図面の簡単な説明】
【０００９】
【図１】実施の形態１に係る反射シート体を備える液晶表示装置の断面図である。
【図２】図１のＡ−Ａ矢視断面図である。
【図３】実施の形態１に係る反射シートを示す図である。
【図４】実施の形態１に係る反射シート体の斜視図である。
【図５】導光板が反射シート体に乗り上げた状態を示した断面図である。
【図６】図６Ａから図６Ｃはコーナー部の面取り形状を示した図である。
【図７】図７Ａから図７Ｄはミシン目が施されたコーナー部を示した図である。
【図８】実施の形態２に係る反射シートを示す図である。
【図９】実施の形態２に係る反射シートの組み付け動作を示した断面図である。
【図１０】実施の形態２に係る反射シートの他の組み付け動作を示した断面図である。
【発明を実施するための形態】
【００１０】
以下、この発明の実施の形態について図面を参照しながら詳細に説明する。
【００１１】
実施の形態１．
実施の形態１に係る反射シート１０について、図１から図７を用いて説明する。
【００１２】
先ず、図１及び図２を用いて、液晶表示装置３０の構成について説明する。図１は、実施の形態１に係る反射シート体１を備える液晶表示装置３０の断面図である。図２は、図１のＡ−Ａ矢視断面図である。
【００１３】
液晶表示装置３０は、液晶パネル３１及びバックライト装置３２を備えている。バックライト装置３２は、液晶パネル３１の裏面側に配置されており、当該液晶パネル３１を支持している。なお、液晶表示装置３０では、液晶パネル３１側を前方側とし、バックライト装置３２側を後方側とする。
【００１４】
バックライト装置３２は、反射シート体１、筐体４１、複数の光源４２、導光板４３、プリズムシート４４、及び、両面テープ４５を備えている。
【００１５】
筐体４１は、板金又は樹脂で形成されている。この筐体４１は、前方側が開口するような箱形をなしている。また、筐体４１は、光源４２、導光板４３、プリズムシート４４、及び、反射シート体１を、その内部に保持すると共に、液晶パネル３１を支持している。
【００１６】
光源４２は、例えば、ＬＥＤ（light emitting diode）又は蛍光管である。この光源４２は、筐体４１の内側面に設けられている。なお、図２の例では、光源４２を１つの内側面に設けているが、２つの内側面に設けても構わない。また、光源４２の設置数を５つとしているが、それ以外の数でも構わない。
【００１７】
導光板４３は、例えば、アクリル系樹脂で形成されており、光伝達に必要な透過率及び屈折率を有している。この導光板４３は、入射側面４３ａ、非入射側面４３ｂ〜４３ｄ、照射面４３ｅ、及び、裏面４３ｆを有している。
【００１８】
入射側面４３ａは、光源４２と対向しており、非入射側面４３ｂ〜４３ｄは、光源４２とは対向していない。照射面４３ｅは、導光板４３の表面を構成しており、液晶パネル３１の裏面側を向いている。裏面４３ｆは、反射シート体１を介して、筐体４１の底面に取り付けられている。導光板４３は、光源４２から発せられた光を、入射側面４３ａから内部に導き、この内部に導いた光を、照射面４３ｅから液晶パネル３１の裏面に向けて照射する。
【００１９】
プリズムシート４４は、例えば、透明な樹脂で形成されている。このプリズムシート４４は、導光板４３の照射面４３ｅと対向するように配置されている。プリズムシート４４は、導光板４３の照射面４３ｅから照射された光が通過する際、この通過した光を、液晶パネル３１の裏面に向けて、均一に拡散させる。
【００２０】
反射シート体１は、後述する反射シート１０を展開状態から折り曲げることにより形成された、光反射構造体であり、前方側及び光源４２側が開口するような箱形をなしている。この反射シート体１は、前方側のみが開口するような箱形をなしても構わない。この場合、光源４２には、反射シート体１を介して、筐体４１の内側面に設けられる。
【００２１】
反射シート体１は、筐体４１の底面に、両面テープ４５を介して、組み付けられている。なお、反射シート体１は、両面テープ４５に替えて、又は、両面テープ４５に加えて、接着剤等を用いて、組み付けられても構わない。
【００２２】
反射シート体１は、導光板４３の非入射側面４３ｂ〜４３ｄ及び裏面４３ｆをその外側から覆っている。これにより、反射シート体１は、導光板４３の非入射側面４３ｂ〜４３ｄ及び裏面４３ｆから放出された光を反射して、導光板４３の内部に再び戻す役割を担っている。
【００２３】
次に、反射シート体１及び反射シート１０について、図３から図７を用いて説明する。図３は、実施の形態１に係る反射シート１０を示す図である。図４は、実施の形態１に係る反射シート体１の斜視図である。図５は、導光板４３が反射シート体１に乗り上げた状態を示した断面図である。図６Ａから図６Ｃは、コーナー部１６の面取り形状を示した図である。図７Ａから図７Ｄは、ミシン目１０ｄが施されたコーナー部１６を示した図である。
【００２４】
図３に示した反射シート１０は、所定の反射率を有するシートである。反射シート１０の材質は、例えば、ポリエチレンテレフタレート（ＰＥＴ）樹脂となっている。この反射シート１０は、矩形状をなしており、底面部１１、側面部１２〜１４、コーナー部１５，１６、及び、ミシン目１０ａ〜１０ｃを有している。ミシン目１０ａ〜１０ｃは、第１ミシン目を構成するものである。
【００２５】
底面部１１は、反射シート１０が折り曲げられたとき、反射シート体１の底面を形成する。この底面部１１は、前方側の面が導光板４３の裏面４３ｆと当接し、後方側の面が筐体４１の底面に両面テープ４５によって貼り付けられる。
【００２６】
側面部１２〜１４は、底面部１１における光源４２と対向しない３つの辺に、それぞれ繋がっている。この側面部１２〜１４は、当該側面部１２〜１４が底面部１１に対して折り曲げられたときに、反射シート体１の３つの内側面を形成して、導光板４３の非入射側面４３ｂ〜４３ｄとそれぞれ対向する。これにより、側面部１２〜１４は、導光板４３の非入射側面４３ｂ〜４３ｄ及び裏面４３ｆから放出された光を反射して、導光板４３の内部に再び戻すことができる。
【００２７】
コーナー部１５は、側面部１２と側面部１３との間を繋いでいる。コーナー部１６は、側面部１３と側面部１４との間を繋いでいる。コーナー部１５，１６は、反射シート１０における光源４２と対向しない側に位置して、当該反射シート１０の角部を形成している。このコーナー部１５，１６は、側面部１２〜１４が底面部１１に対して折り曲げられるのに伴って、対角線１５ａ，１６ａを中心として、側面部１２〜１４の外側に向けて折り曲げられる。また、図２に示すように、反射シート体１を筐体４１に組み付ける際には、折り曲げられたコーナー部１５，１６は、筐体４１の切り欠き部４１ａ内に挿入される。
【００２８】
ミシン目１０ａは、底面部１１と側面部１２との間の境界線上に施されている。このミシン目１０ａは、底面部１１に対して、側面部１２を折れ易くするためのものである。ミシン目１０ｂは、底面部１１と側面部１３との間の境界線上に施されている。このミシン目１０ｂは、底面部１１に対して、側面部１３を折れ易くするためのものである。ミシン目１０ｃは、底面部１１と側面部１４との間の境界線上に施されている。このミシン目１０ｃは、底面部１１に対して、側面部１４を折れ易くするためのものである。
【００２９】
図４に示すように、反射シート体１は、反射シート１０において、側面部１２〜１４をミシン目１０ａ〜１０ｃに沿って折り曲げることにより形成される。そして、反射シート体１は、折り曲げられた状態で、筐体４１内に組み付けられる。
【００３０】
このとき、コーナー部１５，１６は、側面部１２〜１４が底面部１１に対して折り曲げられるのに伴って、側面部１２〜１４の外側に向けて折り曲げられる。このように折り曲げられたコーナー部１５，１６には、元の平板状態に戻ろうとする反発力が作用する。この反発力により、側面部１２〜１４は、反射シート体１の外側に引っ張られるため、当該反射シート体１内への倒れ込みが防止される。
【００３１】
具体的には、作業者が側面部１３を底面部１１に対して過度に折り曲げてしまい、側面部１３の底面部１１に対する折り曲げ角度θが、側面部１３が底面部１１側に倒れ込むような、９０°未満になる場合であっても、側面部１３は、コーナー部１５，１６の反発力の作用により、その倒れ込みを戻す。
【００３２】
なお、図４の例では、側面部１３に対する倒れ込み防止について、代表して説明しており、側面部１２，１４に対する倒れ込み防止の説明については、省略する。また、図４の例では、側面部１３の倒れ込みを理解し易くするため、側面部１４を省略している。
【００３３】
反射シート体１では、導光板４３が底面部１１に組み付けられるときに、当該導光板４３の裏面４３ｆの下側に、側面部１２〜１４が入り込むことがない。よって、反射シート体１は、導光板４３の側面部１２〜１４への乗り上げを防止して、当該導光板４３の組み付け作業を効率的に行うことができる。
【００３４】
これに対して、図５に示すように、コーナー部１５，１６を備えていない反射シート体１Ａでは、仮に側面部１３を過度に折り曲げてしまった場合に、導光板４３を底面部１１に組み付ける際、当該導光板４３の裏面４３ｆの下側に、側面部１３が入り込んでしまうおそれがある。
【００３５】
ここで、コーナー部１５，１６は、側面部１２〜１４からの突出量が大きくなる。このため、反射シート１０は、コーナー部１５，１６の形状を適宜変更しても構わない。例えば、図６Ａから図６Ｃに示すように、コーナー部１５，１６は、面取り形状を有しても構わない。図６Ａから図６Ｃの例では、コーナー部１５，１６のうち、コーナー部１６を代表して図示している。
【００３６】
図６Ａに示したコーナー部１６は、面取り形状が凸状の円弧となっている。図６Ｂに示したコーナー部１６は、面取り形状が直線となっている。図６Ｃに示したコーナー部１６は、面取り形状が凹状の円弧となっている。これにより、コーナー部１５，１６は、反射シート体１の組み付け時における折り曲げ状態において、側面部１２〜１４からの突出量を小さくすることができる。
【００３７】
また、図７Ａから図７Ｄに示すように、コーナー部１５，１６は、ミシン目１０ｄを有しても構わない。図７Ａから図７Ｃの例では、コーナー部１５，１６のうち、コーナー部１６を代表して図示している。ミシン目１０ｄは、第２ミシン目を構成するものであって、コーナー部１５，１６の折り曲げ位置となる中心線上に施されている。図７Ａに示したコーナー部１６のミシン目１０ｄは、上記対角線１６ａと同じ位置に設置される。これにより、コーナー部１５，１６は、側面部１２〜１４の折り曲げに伴って、当該側面部１２〜１４の外側に向けて容易に折り曲げられる。
【００３８】
以上より、光源４２から発せられた光が入射する入射側面４３ａと当該入射側面４３ａ以外の非入射側面４３ｂ〜４３ｄと裏面４３ｆとを有する導光板４３の非入射側面４３ｂ〜４３ｄと裏面４３ｆとを覆う矩形状の反射シート１０であって、導光板４３の裏面４３ｆに当接する底面部１１と、底面部１１における光源４２と対向しない複数の辺にそれぞれ繋がり、底面部１１に対して折り曲げられたときに、導光板４３の非入射側面４３ｂ〜４３ｄと対向する複数の側面部１２〜１４と、互いに隣り合う側面部１２，１３間及び側面部１３，１４間を繋ぎ、側面部１２〜１４が底面部１１に対して折り曲げられるのに伴って、当該側面部１２〜１４の外側に向けて折り曲げられるコーナー部１５，１６と、底面部１１と側面部１２〜１４との間の境界線上に施されたミシン目１０ａ〜１０ｃとを備える。これにより、反射シート１０は、導光板４３の乗り上げを防止することができる。
【００３９】
コーナー部１５，１６は、面取り形状を有している。これにより、コーナー部１５，１６は、反射シート体１の組み付け時における折り曲げ状態において、側面部１２〜１４からの突出量を小さくすることができる。
【００４０】
反射シート１０は、コーナー部１５，１６の中心線上に施されたミシン目１０ｄを備えている。これにより、反射シート１０は、コーナー部１５，１６を、側面部１２〜１４の折り曲げに伴って、当該側面部１２〜１４の外側に向けて容易に折り曲げることができる。
【００４１】
実施の形態２
実施の形態２に係る反射シート２０について、図８から図１０を用いて説明する。図８は、実施の形態２に係る反射シート２０を示す図である。図９は、実施の形態２に係る反射シート２０の組み付け動作を示した断面図である。図１０は、実施の形態２に係る反射シート２０の他の組み付け動作を示した断面図である。
【００４２】
図８に示した反射シート２０は、底面部１１、側面部１２〜１４、及び、ミシン目１０ｃ，２０ａ，２０ｂを備えている。ミシン目１０ｃは、第３ミシン目を構成している。ミシン目２０ａ，２０ｂのうちの少なくとも一方は、第４ミシン目を構成するものである。
【００４３】
ミシン目２０ａは、底面部１１と側面部１２との間の境界線２０ｃと平行で、且つ、その境界線２０ｃよりも底面部１１側に施されている。また、ミシン目２０ａは、底面部１１と側面部１３とに亘って延びている。このミシン目２０ａは、底面部１１に対して、側面部１２を境界線２０ｃで折れ易くするためのものである。
【００４４】
ミシン目２０ｂは、底面部１１と側面部１３との間の境界線２０ｄと平行で、且つ、その境界線２０ｄよりも底面部１１側に施されている。また、ミシン目２０ｂは、底面部１１と側面部１２とに亘って延びている。このミシン目２０ｂは、底面部１１に対して、側面部１４を境界線２０ｄで折れ易くするためのものである。
【００４５】
また、図９に示した反射シート体２は、上記反射シート２０を展開状態から折り曲げることにより形成された、光反射構造体であり、前方側及び光源４２側が開口するような箱形を成している。この反射シート体１は、筐体４１の底面に、両面テープ４５を介して、組み付けられている。
【００４６】
したがって、図９に示すように、反射シート体２及び導光板４３を筐体４１内に組み付ける場合には、先ず、作業者は、両面テープ４５を、筐体４１の底面における所定位置に、予め貼り付ける。
【００４７】
次いで、作業者は、反射シート２０を、ミシン目１０ｃ，２０ａ，２０ｂに沿って折り曲げる。ミシン目１０ｃは、９０°まで折り曲げる。ミシン目２０ａ，２０ｂは、９０°未満で折り曲げる。
【００４８】
そして、作業者は、折り曲げた反射シート２０を、筐体４１内に組み付ける。すなわち、作業者は、反射シート２０の底面部１１を、両面テープ４５に貼り付ける。これにより、反射シート２０は、筐体４１に対して、仮固定された状態となる。
【００４９】
続いて、作業者は、筐体４１に仮固定された反射シート２０に対して、導光板４３を組み付ける。このとき、反射シート２０には、導光板４３が押し付けられることになるが、両面テープ４５に貼り付けられているため、位置ずれを起こさない。
【００５０】
反射シート２０は、導光板４３が筐体４１内に向けて押し込まれることにより、側面部１２，１３が、筐体４１内に押し込まれ、境界線２０ｃ，２０ｄで、それぞれ折り曲げられる。このようにして、反射シート２０は、反射シート体１に形成されると共に、筐体４１内に組み付けられる。
【００５１】
そして、作業者は、導光板４３を位置決めして、固定する。これにより、反射シート体２及び導光板４３の組み付けは、終了する。
【００５２】
上述したように、反射シート体２では、導光板４３が底面部１１に組み付けられるときに、当該導光板４３の裏面４３ｆの下側に、側面部１２〜１４が入り込むことがない。よって、反射シート体２は、導光板４３の側面部１２〜１４への乗り上げを防止して、当該導光板４３の組み付け作業を効率的に行うことができる。
【００５３】
また、図８及び図１０に示すように、反射シート２０は、上述したミシン目１０ｂを反射シート２０の境界線２０ｄ上に有しても構わない。反射シート２０のミシン目１０ｂは、導光板４３の組み付けによって、自然に折り曲げられるため、手作業での折り曲げ作業を必要としない。このミシン目１０ｂは、第３ミシン目を構成するものである。
【００５４】
以上より、光源４２から発せられた光が入射する入射側面４３ａと当該入射側面４３ａ以外の非入射側面４３ｂ〜４３ｄと裏面４３ｆとを有する導光板４３の非入射側面４３ｂ〜４３ｄと裏面４３ｆとを覆う矩形状の反射シート２０であって、導光板４３の裏面４３ｆに当接する底面部１１と、底面部１１における光源４２と対向しない複数の辺にそれぞれ繋がり、底面部１１に対して折り曲げられたときに、導光板４３の非入射側面４３ｂ〜４３ｄと対向する複数の側面部１２〜１４と、底面部１１と複数の側面部１２〜１４のうち一部の側面部１４との間の境界線上に施されたミシン目１０ｃと、底面部１１と複数の側面部１２〜１４のうちの一部の側面部１４以外の少なくとも１つの側面部１２，１３との間の境界線２０ｃ，２０ｄと平行で、且つ、その境界線２０ｃ，２０ｄよりも底面部１１側に施されたミシン目２０ａ，２０ｂとを備える。これにより、反射シート２０は、導光板４３の乗り上げを防止することができる。
【００５５】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【００５６】
１，１Ａ  反射シート体、１０  反射シート、１０ａ〜１０ｄ  ミシン目、１１  底面部、１２〜１４  側面部、１５，１６  コーナー部、１５ａ，１６ａ  対角線、２  反射シート体、２０  反射シート、２０ａ，２０ｂ  ミシン目、２０ｃ，２０ｄ  境界線、３０  液晶表示装置、３１  液晶パネル、３２  バックライト装置、４１  筐体、４１ａ  切り欠き部、４２  光源、４３  導光板、４３ａ  入射側面、４３ｂ〜４３ｄ  非入射側面、４３ｅ  照射面、４３ｆ  裏面、４４  プリズムシート、４５  両面テープ。
【図１】
2020202057.tif 000003
【図２】
2020202057.tif 000004
【図３】
2020202057.tif 000005
【図４】
2020202057.tif 000006
【図５】
2020202057.tif 000007
【図６】
2020202057.tif 000008
【図７】
2020202057.tif 000009
【図８】
2020202057.tif 000010
【図９】
2020202057.tif 000011
【図１０】
2020202057.tif 000012